(57)【要約】【課題】駆動機構の簡素化及び小型化を図ることのできるディスク再生装置を提供する。【解決手段】第１、第２収納位置Ｔ２、Ｔ５で上下に並設される上部トレイ１０及び下部トレイ２０を択一的に第１、第２再生待機位置Ｔ３、Ｔ６に配し、ターンテーブル３１を有する再生機構ユニット３０を軸方向に移動して上部トレイ１０または下部トレイ２０上のディスク８を再生位置に配置するディスク再生装置において、第１収納位置Ｔ２の上部トレイ１０を傾斜させるとともに第２再生待機位置Ｔ６の下部トレイ２０を傾斜して、回動により再生機構ユニット３０を略軸方向に移動した。【選択図】　　　図１４
2004086974.tif 000002
【特許請求の範囲】
【請求項１】
ディスクを載置する載置面を有して筐体内に収納される第１、第２収納位置で上下に並設される第１、第２トレイと、再生位置に配されたディスクを保持して回転させるターンテーブルと、前記再生位置で回転するディスクの記録情報を読み取る再生部とを備え、第１、第２トレイはそれぞれ第１、第２収納位置から前進してディスクを着脱可能な第１、第２着脱位置と、第１、第２収納位置から後退して前記再生位置の略軸上にディスクを配置する第１、第２再生待機位置との間を移動し、択一的に第１再生待機位置または第２再生待機位置に配されたディスクを前記ターンテーブルにより略軸方向に移動させて前記再生位置に配置するディスク再生装置において、
第２トレイ上から前記再生位置に配されたディスクと、第１収納位置の第１トレイ上のディスクとが軸方向に重なって配置されるとともに、第１収納位置の第１トレイの載置面を傾斜したことを特徴とするディスク再生装置。
【請求項２】
第１トレイは前後駆動される駆動トレイと、前記駆動トレイに枢支される載置トレイとを有することを特徴とする請求項１に記載のディスク再生装置。
【請求項３】
前記載置トレイは側面に突設されるガイド突起を有し、前記ガイド突起に係合する傾斜したガイド溝により前記載置トレイが案内されることを特徴とする請求項２に記載のディスク再生装置。
【請求項４】
第２再生待機位置の第２トレイの載置面を傾斜させたことを特徴とする請求項２または請求項３に記載のディスク再生装置。
【請求項５】
第２トレイは下面から突設されるガイド突起を有し、前記ガイド突起に係合する傾斜したガイド溝により第２トレイが案内されることを特徴とする請求項４に記載のディスク再生装置。
【請求項６】
第２トレイは前後駆動される駆動トレイと、前記駆動トレイに枢支される載置トレイとを有し、前記ガイド突起を前記載置トレイに設けるとともに第２収納位置と第２着脱位置との間で前記ガイド突起に係合して前記載置トレイを保持するガイド溝を前記駆動トレイに設けたことを特徴とする請求項５に記載のディスク再生装置。
【請求項７】
第１トレイが第１収納位置に配された際に、第２再生待機位置に配された第２トレイ上のディスクの前部を係止してディスクの脱落を防止する第１脱落防止部材を第１トレイの後部に設けたことを特徴とする請求項４〜請求項６のいずれかに記載のディスク再生装置。
【請求項８】
第１トレイが第１再生待機位置に配された際に、第２収納位置に配された第２トレイ上のディスクの後部を係止してディスクの脱落を防止する第２脱落防止部材を第１トレイの前部に設けたことを特徴とする請求項１〜請求項７のいずれかに記載のディスク再生装置。
【請求項９】
第２脱落防止部材は、第１トレイが第１再生待機位置に配される際に回動して第１トレイの底面から突出することを特徴とする請求項８に記載のディスク再生装置。
【請求項１０】
前記再生部と前記ターンテーブルとを一体に枢支し、前記ターンテーブルがカム溝に案内されて前記再生部とともに略軸方向に回動することを特徴とする請求項１〜請求項９のいずれかに記載のディスク再生装置。
【発明の詳細な説明】
【０００１】
【発明の属する技術分野】
本発明は、光ディスクや光磁気ディスク等の情報記録媒体としてのディスクを再生するディスク再生装置に関する。
【０００２】
【従来の技術】
情報記録媒体としての光ディスクや光磁気ディスク等のディスクを再生するディスク再生装置は、トレイにディスクを載置してディスク再生装置内に搬送した後、ターンテーブルによりディスクを回転して光ピックアップ等によりディスクに記録された情報を読み取る。
【０００３】
また近年、複数のトレイを有して複数のディスクを択一的に再生可能なディスク再生装置が商品化されている。図３６〜図４３はこのディスク再生装置の動作を示す側面図である。ディスク再生装置は筐体１に覆われ、上下に並設される上部トレイ１０及び下部トレイ２０を有している。
【０００４】
上部トレイ１０及び下部トレイ２０は前後方向（図中、左右方向）にスライド移動可能になっている。上部トレイ１０はディスク８を着脱する第１着脱位置Ｔ１（図３６参照）と、筐体１内にディスク８を収納する第１収納位置Ｔ２（図３７参照）と、上側のディスク８が再生される第１再生位置Ｔ７（図４２参照）の略軸上にディスク８を配置する第１再生待機位置Ｔ３（図４２参照）との間を移動する。
【０００５】
同様に、下部トレイ２０はディスク８を着脱する第２着脱位置Ｔ４（図４３参照）と、筐体１内にディスク８を収納する第２収納位置Ｔ５（図４１参照）と、下側のディスク８が再生される第２再生位置Ｔ８（図３６参照）の略軸上にディスク８を配置する第２再生待機位置Ｔ６（図３６参照）との間を移動する。
【０００６】
筐体１内の後部にはターンテーブル３１及び光ピックアップ（不図示）を有する再生機構ユニット３０が設けられている。再生機構ユニット３０は軸方向（図中、上下方向）に移動可能になっている。ターンテーブル３１はディスク８を保持して回転駆動する。また、ターンテーブル３１と同軸に軸方向に移動可能なディスク押え４０が設けられる。ターンテーブル３１及びディスク押え４０により第１、第２再生待機位置Ｔ３、Ｔ６のディスク８を挟持する。
【０００７】
図３６は上部トレイ１０が第１着脱位置Ｔ１に配され、下部トレイ２０が第２再生待機位置Ｔ６に配されている。第２再生待機位置Ｔ６に配された下部トレイ２０上のディスク８は、再生機構ユニット３０が上方に移動することによりターンテーブル３１に保持される。そして、再生機構ユニット３０が第２再生位置Ｐ２に配され、ディスク押え４０及びターンテーブル３１により挟持されたディスク８が第２再生位置Ｔ８に配される。これにより、下部トレイ２０に載置されたディスク８が再生される。
【０００８】
上部トレイ１０はディスク８が載置されると後方に移動し、図３７に示すように第１収納位置Ｔ２に配される。この時、第１収納位置Ｔ２の上部トレイ１０上のディスク８と、第２再生位置Ｔ８のディスク８とが距離Ｌだけオーバーラップし、軸方向に重なって配置される。これにより、ディスク再生装置の奥行方向の寸法が小さくなり、ディスク再生装置の小型化が図られている。
【０００９】
図３８に示すように、再生機構ユニット３０が下降して非再生位置Ｐ３に配されると、ディスク８がターンテーブル３１から脱離して第２再生待機位置Ｔ６の下部トレイ２０上に載置される。下部トレイ２０上にディスク８が載置されると、下部トレイ２０は前進して図３９に示すように第２収納位置Ｔ５（図４１参照）に配される。また、図４０に示すようにディスク押え４０は上方に退避する。
【００１０】
図４１に示すように、上部トレイ１０は第１収納位置Ｔ２から後方に移動すると、ターンテーブル３１の略軸上の第１再生待機位置Ｔ３に配される。図４２に示すように、第１再生待機位置Ｔ３に配された上部トレイ１０上のディスク８は、再生機構ユニット３０が上方に移動することによりターンテーブル３１に保持される。そして、再生機構ユニット３０が第１再生位置Ｐ１に配され、ディスク押え４０及びターンテーブル３１により挟持されたディスク８が第１再生位置Ｔ７に配される。これにより、上部トレイ２０に載置されたディスク８が再生される。
【００１１】
図４３に示すように、下部トレイ２０は第２収納位置Ｔ５から前方に移動すると、第２着脱位置Ｔ４に配される。これにより、下部トレイ２０上のディスク８が着脱される。
【００１２】
【発明が解決しようとする課題】
しかしながら、上記従来のディスク再生装置によると、再生機構ユニット３０を第１再生位置Ｐ１、第２再生位置Ｐ２及び非再生位置Ｐ３の３箇所で停止させるため再生機構ユニット３０の駆動機構が複雑化する。また、第１再生位置Ｐ１と非再生位置Ｐ３との距離が長いため、該駆動機構が大型化するとともにラックとギヤ等により搬送方向に直交して直進駆動させる必要があり該駆動機構が更に複雑化する問題があった。更に、ディスク押え４０を上下移動させるためディスク押え４０の駆動機構も必要になる問題もあった。
【００１３】
本発明は、駆動機構の簡素化及び小型化を図ることのできるディスク再生装置を提供することを目的とする。
【００１４】
【課題を解決するための手段】
上記目的を達成するために本発明は、ディスクを載置する載置面を有して筐体内に収納される第１、第２収納位置で上下に並設される第１、第２トレイと、再生位置に配されたディスクを保持して回転させるターンテーブルと、前記再生位置で回転するディスクの記録情報を読み取る再生部とを備え、第１、第２トレイはそれぞれ第１、第２収納位置から前進してディスクを着脱可能な第１、第２着脱位置と、第１、第２収納位置から後退して前記再生位置の略軸上にディスクを配置する第１、第２再生待機位置との間を移動し、択一的に第１再生待機位置または第２再生待機位置に配されたディスクを前記ターンテーブルにより略軸方向に移動させて前記再生位置に配置するディスク再生装置において、第２トレイ上から前記再生位置に配されたディスクと、第１収納位置の第１トレイ上のディスクとが軸方向に重なって配置されるとともに、第１収納位置の第１トレイの載置面を傾斜したことを特徴としている。
【００１５】
この構成によると、第１着脱位置で第１トレイの載置面にディスクが載置されると、第１収納位置で筐体内に収納される。第２着脱位置で第２トレイの載置面にディスクが載置されると、第２収納位置で筐体内に収納される。第１、第２トレイは択一的に第１、第２収納位置から第１、第２再生待機位置に移動する。第１トレイまたは第２トレイが第１再生待機位置または第２再生待機位置に到達するとターンテーブルが回動または直進して略軸方向に移動し、ディスクがターンテーブルに保持されて共通の再生位置に導かれる。再生位置ではディスクがターンテーブルにより回転して再生部により記録情報が読み込まれて再生が行われる。
【００１６】
第２トレイ上のディスクを再生時に、第１収納位置の第１トレイの載置面は傾斜して配され、第１トレイ上のディスクと第２トレイ上から再生位置に配されたディスクとの干渉を回避する。第１トレイは前後駆動される駆動トレイと該駆動トレイに枢支される載置トレイとにより構成し、載置トレイに設けられたガイド突起と筐体等に設けられたガイド溝との係合により案内して載置面を容易に傾斜させることができる。
【００１７】
また本発明は、上記構成のディスク再生装置において、第２再生待機位置の第２トレイの載置面を傾斜させたことを特徴としている。この構成によると、第２再生待機位置の第２トレイがより上方に配される。第２トレイは下面から突設されるガイド突起と傾斜したガイド溝との係合により案内して容易に傾斜させることができる。
【００１８】
第２トレイが前後駆動される駆動トレイと、該駆動トレイに枢支される載置トレイとから成る場合は、該ガイド突起を載置トレイに設けて駆動トレイに該ガイド突起に係合して載置トレイを保持するガイド溝を設けることにより、第２収納位置と第２着脱位置との間の載置トレイの回動を防止することができる。
【００１９】
また本発明は、第１トレイが第１収納位置に配された際に、第２再生待機位置に配された第２トレイ上のディスクの前部を係止してディスクの脱落を防止する第１脱落防止部材を第１トレイの後部に設けたことを特徴としている。この構成によると、第２再生待機位置で傾斜するディスクの前部が第１脱落防止部材により係止される。
【００２０】
また本発明は、第１トレイが第１再生待機位置に配された際に、第２収納位置に配された第２トレイ上のディスクの後部を係止してディスクの脱落を防止する第２脱落防止部材を第１トレイの前部に設けたことを特徴としている。この構成によると、第１トレイから再生位置に配されたディスクの再生中に第２収納位置に配されたディスクの後部が第２脱落防止部材により係止される。第２脱落防止部材は第１再生待機位置に移動する際に回動して第１トレイの底面から突出し、第１トレイ移動時に第２トレイ上のディスクとの干渉が防止される。
【００２１】
また本発明は、上記構成のディスク再生装置において、前記再生部と前記ターンテーブルとを一体に枢支し、前記ターンテーブルがカム溝に案内されて前記再生部とともに略軸方向に回動することを特徴としている。この構成によると、ターンテーブル及び再生部が一体に回動して略軸方向に移動し、第１再生待機位置または第２再生待機位置のディスクを保持して再生位置に配置する。
【００２２】
【発明の実施の形態】
以下に本発明の実施形態を図面を参照して説明する。説明の便宜上、前述の図３６〜図４３に示す従来例と同一の部分には同一の符号を付している。図１は一実施形態のディスク再生装置を示す斜視図である。また図２は、ディスク再生装置の内部構造を示す斜視図である。
【００２３】
これらの図に示すように、ディスク再生装置は筐体１を備えている。筐体１は筐体底部２、筐体右側部３、筐体左側部４及び筐体上面部５から成っており、内部に上部トレイ１０、下部トレイ２０、再生機構ユニット３０及びディスク押え４０等が装置されている。
【００２４】
図３は上部トレイ１０を示す分解斜視図である。上部トレイ１０は、上側ディスク載置トレイ１１、上側ディスク搬送トレイ（駆動トレイ）１２、上側カバートレイ（駆動トレイ）１３及びディスク脱落防止部材（第２脱落防止部材）１４から成っている。上部トレイ１０は筐体右側面部３及び筐体左側面部４に係合して、奥行方向（図１の矢印Ａ方向）に摺動自在に取り付けられている。
【００２５】
上側カバートレイ１３は両側部が奥行方向に延びて形成され、右側面には後述するトレイ駆動ギヤ５６（図５参照）と噛合するラック１３ａが設けられている。左側部の上面にはガイド突起１３ｂ、１３ｃが形成されている。図１１の背面図に示すように、ガイド突起１３ｂ、１３ｃは互いに直交する方向に突出している。
【００２６】
上側カバートレイ１３の中央部の２箇所には、回動ガイド部１３ｆが突設されている。後述するように、回動ガイド部１３ｆはディスク脱落防止部材１４と係合してディスク脱落防止部材１４を回動させるようになっている。また、上側カバートレイ１３の両側部の裏面にはガイド溝１３ｅ（図１１参照）が形成されている。
【００２７】
上側ディスク搬送トレイ１２は、左側部にガイド溝１２ｂ、１２ｃが形成されている。ガイド溝１２ｂ、１２ｃは夫々上側カバートレイ１３のガイド突起１３ｂ、１３ｃに係合する（図１１参照）。これにより、上側ディスク搬送トレイ１２が上側カバートレイ１３に対して摺動移動可能になっている。上側ディスク搬送トレイ１２の右側面には、後述するトレイ駆動ギヤ５６、５８（図５参照）と噛合するラック１２ａが設けられる。
【００２８】
上側ディスク搬送トレイ１２の略中央部には後方に開放された穴部１２ｅ、１２ｆが形成されている。穴部１２ｅ、１２ｆには後述するターンテーブル３１及び光ピックアップ３２（いずれも図５参照）が導入される。穴部１２ｅの外周部には、位置決め用穴１２ｇが形成されている。位置決め用穴１２ｇにより、後述する再生待機位置において再生機構ユニット３０の位置決めボス３５ａ（何れも図５参照）が嵌入して上側ディスク搬送トレイ１２が位置決めされるようになっている。
【００２９】
また、上側ディスク搬送トレイ１２の前部には、左右方向に伸びる回転軸を中心として回動自在にディスク脱落防止部材１４が取り付けられる。詳細を後述するが、ディスク脱落防止部材１４は上部トレイ１０が第１再生待機位置Ｔ３（図１６参照）に移動する際に回動ガイド部１３ｆとの係合により回動して、第２収納位置Ｔ５（図１７参照）に配された下部トレイ１１上のディスクの脱落を防止するようになっている。
【００３０】
上側ディスク載置トレイ１１は、前部の両側面に回動軸１１ａが突設されている。回動軸１１ａが上側ディスク搬送トレイ１２の前部に設けられた穴部１２ｄに嵌入して、上側ディスク搬送トレイ１２に対して上側ディスク載置トレイ１１が回動自在に取り付けられている。
【００３１】
上側ディスク載置トレイ１１には、径の異なる円形の凹部１１ｂ、１１ｃが形成され、径の異なる２種類のディスクを載置可能になっている。凹部１１ｂ、１１ｃの略中央部には後方に開放された穴部１１ｄ、１１ｅが形成されている。穴部１１ｄ、１１ｅには、上側ディスク搬送トレイ１２の穴部１２ｅ、１２ｆに導入されるターンテーブル３１及び光ピックアップ３２（いずれも図５参照）が同様に導入される。
【００３２】
穴部１１ｄの外周部には、位置決め用穴１１ｆが形成されている。位置決め用穴１１ｆにより、上側ディスク搬送トレイ１２の位置決め用穴１２ｇに嵌入された位置決めボス３５ａが同様に嵌入して上側ディスク載置トレイ１１が位置決めされるようになっている。
【００３３】
上側ディスク載置トレイ１１の後端部にはトレイ回動ガイド１１ｇが側方に向けて突設されている。後述するように、トレイ回動ガイド１１ｇは筐体右側部３及び筐体左側部４に設けられたガイド溝３ａ（不図示）、４ａ（図１０参照）に係合して上側ディスク載置トレイ１１を案内するようになっている。
【００３４】
図４は下部トレイ２０を示す分解斜視図である。下部トレイ２０は下側ディスク載置トレイ２１、下側ディスク搬送トレイ（駆動トレイ）２２及び下側カバートレイ（駆動トレイ）２３から成っている。下部トレイ２０は筐体右側面部３及び筐体左側面部４に係合して、奥行方向（図１の矢印Ａ方向）に摺動自在に取り付けられている。
【００３５】
下側カバートレイ２３は両側部が奥行方向に延びて形成され、左側面には後述するトレイ駆動ギヤ６０（図５参照）と噛合するラック２３ａが設けられている。右側部の上面には、互いに直交する方向に突出するガイド突起２３ｂ、２３ｃが形成されている（図１１参照）。また、両側部の裏面にはガイド溝２３ｅ（図１１参照）が形成されている。
【００３６】
下側ディスク搬送トレイ２２は平面形状がコ字型になっており、右側部にガイド溝２２ｂ、２２ｃが形成されている。ガイド溝２２ｂ、２２ｃは夫々下側カバートレイ２３のガイド突起２３ｂ、２３ｃに係合する（図１１参照）。これにより、下側ディスク搬送トレイ２２が下側カバートレイ２３に対して摺動移動可能になっている。下側ディスク搬送トレイ２２の左側面には、後述するトレイ駆動ギヤ６０、６２（図５参照）と噛合するラック２２ａが設けられる。
【００３７】
下側ディスク載置トレイ２１は、前部の両側面に回動軸２１ａが突設されている。回動軸２１ａが下側ディスク搬送トレイ２２の前部に設けられた穴部２２ｄに嵌入して、下側ディスク搬送トレイ２２に対して下側ディスク載置トレイ２１が回動自在に取り付けられている。
【００３８】
下側ディスク載置トレイ２１には、径の異なる円形の凹部２１ｂ、２１ｃが形成され、径の異なる２種類のディスクを載置可能になっている。凹部２１ｂ、２１ｃの略中央部には後方に延びる穴部２１ｄ、２１ｅが形成されている。穴部２１ｄ、２１ｅには、ターンテーブル３１及び光ピックアップ３２（いずれも図５参照）が導入される。
【００３９】
穴部２１ｄの外周部には、位置決め用穴２１ｆが形成されている。位置決め用穴２１ｆにより、後述する第２再生待機位置Ｔ６（図１３参照）において再生機構ユニット３０の位置決めボス３５ａ（図５参照）が嵌入して下側ディスク載置トレイ２１が位置決めされるようになっている。
【００４０】
図１１に示すように、下側ディスク載置トレイ２１の裏面には両側部にガイド溝２１ｇが形成されている。ガイド溝２１ｇは図５に示す筐体底部２に形成されたトレイガイド２ｂと係合して下側ディスク載置トレイ２１を案内する。また、ガイド溝２１ｇに沿ってＬ字型のガイド部２１ｈが形成され、トレイガイド２ｂを保持するようになっている。
【００４１】
また、図１２に示すように、下側カバートレイ２３にはトレイガイド２ｂの延長上に同様の形状のガイド突起２３ｆが設けられている。ガイド突起２３ｆにはガイド溝２１ｇ及びガイド部２１ｈが係合して、トレイガイド２ｂから離脱した下側ディスク載置トレイ２１を案内するとともに下側ディスク載置トレイ２１を保持する。
【００４２】
これにより、例えばディスクが装着された下部トレイ２０が後退する際に下側ディスク載置トレイ２１が回動して上部トレイ１０等と接触し、ディスクが破損する等の不具合を防止できるようになっている。尚、上側ディスク載置トレイ１１は、トレイ回動ガイド１１ｇ（図３参照）とガイド溝４ａ（図１０参照）との係合により回動防止されている。
【００４３】
図５、図６は筐体底部２に設けられた駆動機構部７０及び再生機構ユニット３０を示す斜視図及び上面図である。駆動機構部７０はモータ５０を有し、モータ５０の軸にはピニオンギヤ４９が取り付けられている。ピニオンギヤ４９には２段ギヤから成る中間ギヤ５１の大径側が噛合する。
【００４４】
中間ギヤ５１の小径側には２段ギヤから成る中間ギヤ５２の大径側が噛合する。中間ギヤ５２の小径側には中間ギヤ５３が噛合する。中間ギヤ５３にはカムギヤ５４の内面に形成されたギヤ部５４ａが噛合する。これにより、モータ５０の回転が減速してカムギヤ５４に伝達されるようになっている。
【００４５】
図７、図８はカムギヤ５４を示す平面図及び正面図である。カムギヤ５４の周面には夫々周面の一部に配される複数のギヤ部５４ｂ〜５４ｇが４段に設けられている。尚、ギヤ部５４ｃ、５４ｅが同じ段に形成され、ギヤ部５４ｂ、５４ｄが同じ段に形成されている。
【００４６】
カムギヤ５４の周囲には２段ギヤから成る中間ギヤ５５、５７、５９、６１が配される。中間ギヤ５５、５７、５９、６１の小径側にはギヤ部５４ｂ、５４ｃ、５４ｄ、５４ｅが夫々噛合する。中間ギヤ５５、５７、５９、６１の大径側にはトレイ駆動ギヤ５６、５８、６０、６２が夫々噛合する。
【００４７】
トレイ駆動ギヤ５６は上部トレイ１０の上側カバートレイ１３及び上側ディスク搬送トレイ１２に設けられたラック１３ａ、１２ａと噛合して上部トレイ１０を奥行方向へ駆動する。トレイ駆動ギヤ５８はラック１２ａと噛合して上側ディスク搬送トレイ１２を更に奥行方向へ駆動する。
【００４８】
トレイ駆動ギヤ６０は下部トレイ２０の下側カバートレイ２３及び下側ディスク搬送トレイ２２に設けられたラック２３ａ、２２ａと噛合して下部トレイ２０を奥行方向へ駆動する。トレイ駆動ギヤ６２はラック２２ａと噛合して下側ディスク搬送トレイ２２を更に奥行方向へ駆動する。
【００４９】
また、カムギヤ５４のギヤ部５４ｇは中間ギヤ３７に噛合する。カムギヤ５４のギヤ部５４ｆは中間ギヤ３８を介して中間ギヤ３７と噛合する。図９に示すように、中間ギヤ３７は駆動機構部７０と再生機構ユニット３０との間に設けられた昇降用ラック部材３６のラック３６ａに噛合する。これにより、昇降用ラック部材３６は筐体底部２に設けられたガイド溝２ａに案内されて左右方向（矢印Ｂ方向）に移動する。
【００５０】
昇降用ラック部材３６は断面Ｌ字型を成し、鉛直面には傾斜したガイド溝３６ｂが形成されている。再生機構ユニット３０を覆う再生ユニットホルダー３５にはガイド溝３６ｂに係合する突起部３５ｂが設けられている。再生ユニットホルダー３５の後端には支軸３５ｃが突設されている。支軸３５ｃは筐体底部２に設けられた軸穴２ｃに嵌合して再生機構ユニット３０を枢支する。従って、昇降用ラック部材３６が左右方向（矢印Ｂ方向）に移動することによって再生機構ユニット３０が回動して昇降するようになっている。
【００５１】
再生ユニットホルダー３５の上面には、回動時に上側ディスク搬送トレイ１２、上側ディスク載置トレイ１１及び下側ディスク載置トレイ２１を位置決めする位置決めボス３５ａが突設されている。再生ユニットホルダー３５の前部の両側面には係合子３５ｄが突設されている。係合子３５ｄは筐体底部２に形成されたカム面２ｄに摺動して再生機構ユニット３０を回動しながら左右方向に移動させるようになっている。
【００５２】
再生機構ユニット３０には回転駆動されるターンテーブル３１が設けられている。ターンテーブル３１は磁性体から成り、同じく磁性体から成るディスク押え４０（図１参照）との間の吸着力によりディスクを挟持してディスクを回転駆動する。また、ターンテーブル３１の近傍にはターンテーブル３１に保持されたディスクの記録情報を読み取る光ピックアップ３２が配置されている。
【００５３】
図１０は筐体左側面部４を示す側面図である。筐体左側面部４には、平行な３つのガイド溝４ｂが形成され、ガイド溝４ｂに平行に形成されるとともに一部が分岐して傾斜するガイド溝４ａが形成される。ガイド溝４ｂにはガイド突起４ｃが形成されている。ガイド溝４ｂには、下方から下側カバートレイ２３、下側ディスク搬送トレイ２２、上側カバートレイ１３が係合し、ガイド突起４ｃが夫々に設けられたガイド溝２３ｅ、２２ｃ、１３ｅに係合する（図１１参照）。
【００５４】
また、ガイド溝４ａには、上側ディスク搬送トレイ１２及び上側ディスク載置トレイ１１が係合し、分岐部分には上側ディスク載置トレイ１１がトレイ回動ガイド１１ｇ（図３参照）により案内される。また、筐体右側面部３（図１参照）にも同様のガイド溝が形成されている。これにより、上部トレイ１０及び下部トレイ２０が奥行方向に案内されるようになっている。
【００５５】
上記構成のディスク再生装置において、図１３〜図２４を参照して動作を説明する。図１３は上部トレイ１０が第１着脱位置Ｔ１に配され、下部トレイ２０が第２再生待機位置Ｔ６に配された状態を示している。また、再生機構ユニット３０は再生位置Ｐ１に配置されており、これにより下部トレイ２０上のディスク８が再生位置に設置されている。
【００５６】
この状態のディスク再生装置の斜視図を図３４に示す。また、図１９に示すように、筐体左側面部４のガイド溝４ｂ内には下側トレイカバー２３及び下側ディスク搬送トレイ２２が収納される。
【００５７】
下部トレイ２０の下側ディスク載置トレイ２１はトレイガイド２ｂ（図５参照）の案内により後端が持ち上げられて傾斜している。第２再生待機位置Ｔ６に配される下側ディスク載置トレイ２１上のディスク８は、ターンテーブル３１により略軸方向に持ち上げられて再生位置に配されている。
【００５８】
カムギヤ５４が所定位置に配されて図７のＣ１方向に回転すると、ギヤ部５４ｂ、５４ｃが中間ギヤ５５、５７と噛合してトレイ駆動ギヤ５６、５８が回転し、上部トレイ１０が後退する。この時、図２０に示すように上側ディスク載置トレイ１１のトレイ回動ガイド１１ｇがガイド溝４ａに案内される。
【００５９】
更にトレイ駆動ギヤ５６、５８が回転すると、図１４、図２１に示すように上部トレイ１０が第１収納位置Ｔ２に配される。この時の平面図を図２６に示すと、第１収納位置Ｔ２の上方のディスク８と再生位置の下方のディスク８とが距離Ｌだけ軸方向に重なって配置される。これにより、ディスク再生装置の奥行方向の寸法を小さくしている。
【００６０】
上側ディスク載置トレイ１１はガイド溝４ａの案内により傾斜して配されている。このため、上方のディスク８と一部重なる下方のディスク８を、上側ディスクカバートレイ１３の後方の再生位置に配置することができるようになっている。
【００６１】
また、上部トレイ１０の上側ディスク載置トレイ１１のみを傾斜させることにより、上部トレイ１０の全体を傾斜させるよりも前後方向の搬送の機構を簡単にできる。更に、傾斜によって上側に突出する量を薄い上側ディスク載置トレイ１１の厚みに応じた量にすることができるので、上部トレイ１０の全体を傾斜させるよりも上下方向のスペースを削減することができる。
【００６２】
カムギヤ５４のギヤ部５４ｆは中間ギヤ３８に噛合し、中間ギヤ３７を介して昇降用ラック部材３６が右方に移動する。これにより、図１５に示すように昇降用ラック部材３６のガイド溝３６ｂの案内によって再生機構ユニット３０が下降して非再生位置Ｐ３に配される。そして、ターンテーブル３１に保持されるディスク８は略軸方向に移動して下側ディスク載置トレイ２１上に載置される。
【００６３】
尚、下部トレイ２０の下側ディスク載置トレイ２１のみを傾斜させることにより、下部トレイ２０の全体を傾斜させるよりも前後方向の搬送の機構を簡単にできる。更に、上側カバートレイ１３と下側ディスク載置トレイ２１とが側面から見て重なるように配置することができる（図２０、図２１参照）。これにより、下部トレイ２０上のディスク８をより上方に持ち上げてターンテーブル３１の移動量を低減することができるようになっている。
【００６４】
図２７、図２８はこの状態の上部トレイ１０と下部トレイ２０の関係を示す平面図及び側面図である。上側搬送トレイ１２の下面には後部に突起部（第１脱落防止部材）１２ｈが突設されている。突起部１２ｈは第２再生待機位置Ｔ６の下側ディスク載置トレイ２１上に載置されたディスク８の周部に沿って複数設けられている。従って、前方に傾斜する下側のディスク８を係止してディスク８の脱落を防止できるようになっている。尚、傾斜する上側ディスク載置トレイ１１上のディスク８は上側カバートレイ１３の前面部分によって脱落防止されている。
【００６５】
カムギヤ５４が所定位置に配されて図７のＣ１方向に回転すると、ギヤ部５４ｄが中間ギヤ６１と噛合してトレイ駆動ギヤ６２が回転し、下部トレイ２０の下側搬送トレイ２２が前進する。これにより、図２１に示すように、下部トレイ２０が第２収納位置Ｔ５（図１７参照）に配される。
【００６６】
カムギヤ５４が更にＣ１方向に回転すると、ギヤ部５４ｃが中間ギヤ５７と噛合してトレイ駆動ギヤ５８が回転し、図２２に示すように上側搬送トレイ１２が後退し始める。更にカムギヤ５４が回転すると、図１６、図２３に示すように、上側搬送トレイ１２が第１再生待機位置Ｔ３に配される。
【００６７】
そして、カムギヤ５４のギヤ部５４ｇが中間ギヤ３７と噛合し、昇降用ラック部材３６が左方に移動する。これにより、図１７に示すように昇降用ラック部材３６のガイド溝３６ｂの案内によって再生機構ユニット３０が上昇して再生位置Ｐ１に配される。そして、上部トレイ１０上のディスク８はターンテーブル３１に保持されて略軸方向に移動して再生位置に配される。この時の平面図を図２５に示すと、上記と同様に、再生位置の上方のディスク８と第２収納位置Ｔ５の下方のディスク８とが距離Ｌだけ軸方向に重なって配置される。
【００６８】
また、上側ディスク載置トレイ１１の凹部１１ｂ（図３参照）の周縁には、上側ディスク載置トレイ１１のディスク載置面から軸方向に離れて径方向に突出するディスク係止部（不図示）が形成されている。図３５に示すようにディスク再生装置が筐体右側面部３側を底面にして縦置きされる場合には、ディスク８が上側ディスク載置トレイ１１上に載置されている時、つまりディスク８が再生位置以外の状態にある時に、ディスク８は自重によりディスク係止部に係止され、鉛直に配されるディスク８の脱落を防止する。
【００６９】
昇降用ラック部材３６が左方に移動を開始すると、ターンテーブル３１がディスク８に当接する。更に昇降用ラック部材３６が移動するとターンテーブル３１によりディスク８が持ち上げられ図１７の状態になる。この時、再生機構ユニット３０の係合子３５ｄ（図５参照）はカム面２ｄ（図５参照）に沿って摺動して再生機構ユニット３０を左方に移動させる。これにより、ディスク８はディスク係止部から離脱して軸方向に移動できるようになっている。尚、下側ディスク載置トレイ２１にも同様のディスク係止部が形成され、再生機構ユニット３０は同様に動作する。
【００７０】
また、図２９はこの状態の上部トレイ１０と下部トレイ２０の関係を示す平面図である。上側搬送トレイ１２の前部に枢支されたディスク脱落防止部材１４は回動により下方に突出している。図３０〜図３３はディスク脱落防止部材１４の動作を示す図である。図３０によると、第１着脱位置Ｔ１及び第１収納位置Ｔ２ではディスク脱落防止部材１４は上側カバートレイ１３上に乗り上げている。
【００７１】
上側搬送トレイ１２が第１再生待機位置Ｔ３に移動すると、図３１に示すように、ディスク脱落防止部材１４は上側カバートレイ１３の回動ガイド部１３ｆに当接する。上側搬送トレイ１２が更に移動すると、図３２に示すようにディスク脱落防止部材１４は回動する。更に上側搬送トレイ１２が移動すると、図３３に示すようにディスク脱落防止部材１４は上側カバートレイ１３の下面から突出する。これにより、第２収納位置Ｔ５の下側ディスク載置トレイ２１上のディスク８を係止して、振動等による下側のディスク８の脱落を防止できるようになっている。
【００７２】
上側搬送トレイ１２が第１再生待機位置Ｔ３から第１収納位置Ｔ２に移動する際には、ディスク脱落防止部材１４は上側カバートレイ１３の上面と係合して回動する。これにより、図３０に示すようにディスク脱落防止部材１４が上側カバートレイ１３上に乗り上げ、下部トレイ２０上のディスクとの干渉が防止される。尚、筺体上面部５に設けられた突起部（不図示）により、第１再生待機位置Ｔ３の上側ディスク載置トレイ１１上のディスク８の脱落防止を行っている。
【００７３】
図１７、図２３に示す状態から、カムギヤ５４が所定位置に配されて図７のＣ１方向に回転すると、ギヤ部５４ｂ、５４ｅが中間ギヤ５９、６１と噛合してトレイ駆動ギヤ６０、６２が回転し、下部トレイ２０が前進する。これにより、図１８、図２４に示すように下部トレイ２０が第２着脱位置Ｔ４に配される。
【００７４】
尚、カムギヤ５４がＣ２方向（図７参照）に回転することによって上記と逆の動作が行われる。
【００７５】
本実施形態によると、第１収納位置Ｔ２の上側ディスク載置トレイ１１が傾斜しているので第２再生待機位置Ｔ６の下側ディスク載置トレイ２１を上側カバートレイ１３の後方に配置して上部トレイ１０及び下部トレイ２０上から共通の再生位置にディスクを配置することができる。このため、再生機構ユニット３０の略軸方向の移動距離を減少することができるとともに、再生機構ユニット３０を回動させて非再生位置Ｐ３と再生位置Ｐ１との間を移動させることができる。従って、再生機構ユニット３０を駆動する駆動機構の簡素化及び小型化を図ることができる。
【００７６】
また、第２再生待機位置Ｔ６の下側ディスク載置トレイ２１が傾斜しているので、前述したように再生機構ユニット３０の略軸方向の移動距離をより減少することができるとともに、回動により非再生位置Ｐ３で傾斜して配される再生機構ユニット３０を下側ディスク載置トレイ２１に接近して配置することができる。
（図１５参照）これにより、ディスク再生装置をより小型化することができる。
【００７７】
【発明の効果】
本発明によると、第２トレイ上から再生位置に配されたディスクと、第１収納位置の第１トレイ上のディスクとが軸方向に重なって配置されるとともに、第１収納位置の第１トレイの載置面を傾斜したので、第２再生待機位置の第２トレイを第１トレイの後方に配置して第１、第２トレイ上から共通の再生位置にディスクを配置することができる。このため、ターンテーブルの略軸方向の移動距離を減少させることができるとともに、ターンテーブルを回動により略軸方向に駆動することができる。従って、ターンテーブルを軸方向に駆動する駆動機構の簡素化及び小型化を図ることができる。
【００７８】
また、第１トレイは前後駆動される駆動トレイと、駆動トレイに枢支される載置トレイとを有するので、ディスクの搬送を直線的に行って前後方向の搬送の機構を簡素化できるとともにディスクの載置面を容易に傾斜させることができる。更に、傾斜によって上側に突出する量を薄い載置トレイの厚みに応じた量にすることができるので、第１トレイの全体を傾斜させるよりも上下方向のスペースを削減することができる。
【００７９】
また本発明は、第２再生待機位置の第２トレイの載置面を傾斜したので、載置面上のディスクをより上方に配置してターンテーブルの略軸方向の移動距離をより減少させることができる。また、再生部と一体のターンテーブルの回動によってディスクを再生位置に移動させる場合には、回動により傾斜する非再生位置のターンテーブル及び再生部を、同じく傾斜した第２トレイに接近して配置することができる。これにより、ディスク再生装置をより小型化することができる。
【００８０】
また本発明によると、第２トレイの載置トレイを傾斜させるガイド突起と係合するガイド溝を駆動トレイに設けるので、例えば第２着脱位置と第２収納位置との間を第２トレイが移動する際の載置トレイの回動を防止してディスク破損等の不具合を防止することができる。
【００８１】
また本発明によると、第１脱落防止部材を第１トレイに設けるので、第２再生待機位置で傾斜した第２トレイ上のディスクを係止してディスクの脱落を防止することができる。
【００８２】
また本発明によると、第２収納位置の第２トレイ上のディスクを係止する第２脱落防止部材を第１トレイに設けるので、再生位置での振動等による第２トレイ上のディスクの脱落を防止することができる。
【図面の簡単な説明】
【図１】は、本発明の実施形態のディスク再生装置を示す斜視図である。
【図２】は、本発明の実施形態のディスク再生装置の内部構造を示す斜視図である。
【図３】は、本発明の実施形態のディスク再生装置の上部トレイを示す分解斜視図である。
【図４】は、本発明の実施形態のディスク再生装置の下部トレイを示す分解斜視図である。
【図５】は、本発明の実施形態のディスク再生装置の筐体底部に設けられた駆動機構及び再生機構ユニットを示す斜視図である。
【図６】は、本発明の実施形態のディスク再生装置の筐体底部に設けられた駆動機構及び再生機構ユニットを示す上面図である。
【図７】は、本発明の実施形態のディスク再生装置のカムギヤを示す上面図である。
【図８】は、本発明の実施形態のディスク再生装置のカムギヤを示す正面図である。
【図９】は、本発明の実施形態のディスク再生装置の筐体底部に設けられた昇降用ラック部材及び再生機構ユニットを示す分解斜視図である。
【図１０】は、本発明の実施形態のディスク再生装置の筐体左側面部を示す正面図である。
【図１１】は、本発明の実施形態のディスク再生装置を示す背面図である。
【図１２】は、本発明の実施形態のディスク再生装置の下部トレイを示す背面図である。
【図１３】は、本発明の実施形態のディスク再生装置の動作を示す概略側面図である。
【図１４】は、本発明の実施形態のディスク再生装置の動作を示す概略側面図である。
【図１５】は、本発明の実施形態のディスク再生装置の動作を示す概略側面図である。
【図１６】は、本発明の実施形態のディスク再生装置の動作を示す概略側面図である。
【図１７】は、本発明の実施形態のディスク再生装置の動作を示す概略側面図である。
【図１８】は、本発明の実施形態のディスク再生装置の動作を示す概略側面図である。
【図１９】は、本発明の実施形態のディスク再生装置の上部トレイ及び下部トレイの動作を示す概略側面図である。
【図２０】は、本発明の実施形態のディスク再生装置の上部トレイ及び下部トレイの動作を示す概略側面図である。
【図２１】は、本発明の実施形態のディスク再生装置の上部トレイ及び下部トレイの動作を示す概略側面図である。
【図２２】は、本発明の実施形態のディスク再生装置の上部トレイ及び下部トレイの動作を示す概略側面図である。
【図２３】は、本発明の実施形態のディスク再生装置の上部トレイ及び下部トレイの動作を示す概略側面図である。
【図２４】は、本発明の実施形態のディスク再生装置の上部トレイ及び下部トレイの動作を示す側面図である。
【図２５】は、本発明の実施形態のディスク再生装置の第１再生待機位置の上部トレイと第２収納位置の下部トレイの位置関係を示す概略平面図である。
【図２６】は、本発明の実施形態のディスク再生装置の第１収納位置の上部トレイと第２再生待機位置の下部トレイの位置関係を示す概略平面図である。
【図２７】は、本発明の実施形態のディスク再生装置の第１収納位置の上部トレイと第２再生待機位置の下部トレイの位置関係を示す平面図である。
【図２８】は、本発明の実施形態のディスク再生装置の第１収納位置の上部トレイと第２再生待機位置の下部トレイの位置関係を示す側面図である。
【図２９】は、本発明の実施形態のディスク再生装置の第１再生待機位置の上部トレイと第２収納位置の下部トレイの位置関係を示す平面図である。
【図３０】は、本発明の実施形態のディスク再生装置のディスク脱落防止部材の動作を示す側面図である。
【図３１】は、本発明の実施形態のディスク再生装置のディスク脱落防止部材の動作を示す側面図である。
【図３２】は、本発明の実施形態のディスク再生装置のディスク脱落防止部材の動作を示す側面図である。
【図３３】は、本発明の実施形態のディスク再生装置のディスク脱落防止部材の動作を示す側面図である。
【図３４】は、本発明の実施形態のディスク再生装置の横置き使用状態を示す斜視図である。
【図３５】は、本発明の実施形態のディスク再生装置の縦置き使用状態を示す斜視図である。
【図３６】は、従来のディスク再生装置の動作を示す概略側面図である。
【図３７】は、従来のディスク再生装置の動作を示す概略側面図である。
【図３８】は、従来のディスク再生装置の動作を示す概略側面図である。
【図３９】は、従来のディスク再生装置の動作を示す概略側面図である。
【図４０】は、従来のディスク再生装置の動作を示す概略側面図である。
【図４１】は、従来のディスク再生装置の動作を示す概略側面図である。
【図４２】は、従来のディスク再生装置の動作を示す概略側面図である。
【図４３】は、従来のディスク再生装置の動作を示す概略側面図である。
【符号の説明】
１　　筐体
２　　筐体底部
２ａ　ガイド溝
３　　筐体右側面部
４　　筐体左側面部
４ａ、４ｂ　ガイド溝
５　　筐体上面部
８　　ディスク
１０　　上部トレイ
１１　　上側ディスク載置トレイ
１１ｇ　トレイ回動ガイド
１２　　上側ディスク搬送トレイ
１２ｈ　突起部（第１脱落防止部材）
１３　　上側カバートレイ
１３ｆ　回動ガイド部
１４　　ディスク脱落防止部材（第２脱落防止部材）
２０　　下部トレイ
２１　　下側ディスク載置トレイ
２２　　下側ディスク搬送トレイ
２３　　下側カバートレイ
３０　　再生機構ユニット
３１　　ターンテーブル
３２　　光ピックアップ
３５ｂ　突起部
３６　　昇降用ラック部材
３６ｂ　ガイド溝
３７、３８、５１、５２、５３、５５、５７、５９、６１　中間ギヤ
４０　　ディスク押え
５０　　モータ
５４　　カムギヤ
５６、５８、６０、６２　トレイ駆動ギヤ
【図１】
2004086974.tif 000003
【図２】
2004086974.tif 000004
【図３】
2004086974.tif 000005
【図４】
2004086974.tif 000006
【図５】
2004086974.tif 000007
【図６】
2004086974.tif 000008
【図７】
2004086974.tif 000009
【図８】
2004086974.tif 000010
【図９】
2004086974.tif 000011
【図１０】
2004086974.tif 000012
【図１１】
2004086974.tif 000013
【図１２】
2004086974.tif 000014
【図１３】
2004086974.tif 000015
【図１４】
2004086974.tif 000016
【図１５】
2004086974.tif 000017
【図１６】
2004086974.tif 000018
【図１７】
2004086974.tif 000019
【図１８】
2004086974.tif 000020
【図１９】
2004086974.tif 000021
【図２０】
2004086974.tif 000022
【図２１】
2004086974.tif 000023
【図２２】
2004086974.tif 000024
【図２３】
2004086974.tif 000025
【図２４】
2004086974.tif 000026
【図２５】
2004086974.tif 000027
【図２６】
2004086974.tif 000028
【図２７】
2004086974.tif 000029
【図２８】
2004086974.tif 000030
【図２９】
2004086974.tif 000031
【図３０】
2004086974.tif 000032
【図３１】
2004086974.tif 000033
【図３２】
2004086974.tif 000034
【図３３】
2004086974.tif 000035
【図３４】
2004086974.tif 000036
【図３５】
2004086974.tif 000037
【図３６】
2004086974.tif 000038
【図３７】
2004086974.tif 000039
【図３８】
2004086974.tif 000040
【図３９】
2004086974.tif 000041
【図４０】
2004086974.tif 000042
【図４１】
2004086974.tif 000043
【図４２】
2004086974.tif 000044
【図４３】
2004086974.tif 000045